(57)【要約】【課題】少ない構成部材数で、水密性能が高く、外観に優れ、製作に手間とコストがかからない多角形窓、雨水や結露水による建物外壁汚損が防止される多角形窓を提供する。【解決手段】金属製窓枠はアルミニウム製鋳物で一体に成形され、金属製窓枠の下部に、パネル又は障子の室外側面を流下する雨水又は前記パネル又は障子の室内側面を流下する結露水を集める集水用空洞部が形成され、その集水用空洞部に水抜き孔が形成されている。水抜き孔の室外側近傍に水切り用突起が設けられている。金属製窓枠は正面から見た外観形状が略菱形、菱形、六角形、ホームベース形などの多角形に連続する外周壁を有し、その一つのコーナー部を頂部に有し、外周壁の頂部から両側に下り傾斜する傾斜面の下端部に水返し用突縁が設けられている。【選択図】図１１
2007291661.tif 000002
【特許請求の範囲】
【請求項１】
金属製窓枠を主体とし、その窓枠の中にパネルを固定し、又はその窓枠の中に障子を開閉自在に取り付けてなる多角形窓において、前記金属製窓枠はアルミニウム製鋳物で一体に成形されていることを特徴とする多角形窓。
【請求項２】
金属製窓枠の下部に、パネル又は障子の室外側面を流下する雨水及び／又は前記パネル又は障子の室内側面を流下する結露水を集める集水用空洞部が形成され、その集水用空洞部の底部に下方に排水するための水抜き孔が形成されていることを特徴とする請求項１に記載の多角形窓。
【請求項３】
金属製窓枠の水抜き孔の室外側近傍に水切り用突起が設けられていることを特徴とする請求項２に記載の多角形窓。
【請求項４】
金属製窓枠は、室内側から室外側に延出し、正面から見た外観形状が略菱形、菱形、六角形、ホームベース形の多角形に連続する外周壁を有し、かつ、一つのコーナー部を頂部に有するものであり、前記外周壁の前記頂部の両側から下り傾斜する傾斜面の下端部にその傾斜面を流下する雨水を止水し、その外周壁から室外方向に誘導する水返し用突縁が設けられていることを特徴とする請求項１，２．又は３に記載の多角形窓。
【請求項５】
金属製窓枠は、室内側から室外側に延出し、正面から見た外観形状が略菱形、菱形、六角形、ホームベース形の多角形に連続する外周壁と、その外周壁の屋内側端部に設けられ、建物に固着される取付壁となる外向きフランジと、前記外周壁の屋内外方向の中間部に設けられ、パネル又は障子を保持する内向きフランジと、前記内向きフランジの下部に前記外周壁との間に前記集水用空洞部を形成する屈曲壁とを一体に有することを特徴とする請求項１，２又は３に記載の多角形窓。
【請求項６】
屈曲壁を外周壁よりも下方に延長させて水切り用突起を形成したことを特徴とする請求項５に記載の多角形窓。
【請求項７】
外周壁と外向きフランジとの接続部に、金属製窓枠の中に取付けられる樹脂枠を固定するねじをねじ込むためのねじ受け部を一体に設けたことを特徴とする請求項１ないし６のいずれか１項に記載の多角形窓。
【発明の詳細な説明】
【技術分野】
【０００１】
本発明は、金属製窓枠を主体とし、その窓枠の中にガラス板やプラスチック板などのパネルを固定し、又はその窓枠の中に障子を開閉自在に取り付けてなる多角形窓に関する。
【背景技術】
【０００２】
金属製窓枠を主体とし、その窓枠の中にパネルを固定し、又はその窓枠の中に障子を開閉自在に取り付けてなる多角形窓は、特許文献１に開示されている。
【特許文献１】特開２００５−２３２７４５号公報
【発明の開示】
【発明が解決しようとする課題】
【０００３】
上記既知の多角形窓は、窓の各辺に沿って設けられた複数の枠材の端部同士をコーナー部品を介して接続して多角形の窓枠を構成している。また、各枠材は、室外側枠材と室内側枠材とをビスで結合してなっている。
【０００４】
このように従来技術は、複数の枠材をビスで結合し、かつ、コーナー部品を介して接続して構成されているから、接続部の数が多く、各接続部の水密性能が高くないので、多角形窓全体の水密性能は高いとは言えず、また、接続部の仕上がり・外観もきれいとは言えなかった。さらに、構成部材数が多いので、組立て製作に手間とコストがかかっていた。加えて、従来の多角形窓においては、窓から滴下する雨水や結露水により建物外壁が汚損されることを避けられなかった。
【０００５】
本発明は、上記の点に鑑みてなされたものであり、その第一の課題は、構成部材数を可及的に少なくして、水密性能が向上し、外観に優れ、製作に手間とコストがかからない多角形窓を提供することにある。
第二の課題は、雨水や結露水の滴下による建物外壁の汚損が防止される多角形窓を提供することにある。
【課題を解決するための手段】
【０００６】
上記第一の課題を解決するため、本発明は、金属製窓枠を主体とし、その窓枠の中にパネルを固定し、又はその窓枠の中に障子を開閉自在に取り付けてなる多角形窓において、前記金属製窓枠はアルミニウム製鋳物で一体に成形されていることを特徴としている（請求項１）。
【０００７】
上記第二の課題を解決するため、本発明は、前記金属製窓枠の下部に、パネル又は障子の室外側面を流下する雨水及び／又は前記パネル又は障子の室内側面を流下する結露水を集める集水用空洞部が形成され、その集水用空洞部の底部に下方に排水するための水抜き孔が形成されていることを特徴としている（請求項２）。
【０００８】
また、前記金属製窓枠には、その水抜き孔の室外側近傍に水切り用突起が設けられていることが望ましい（請求項３）。
【０００９】
前記金属製窓枠は、室内側から室外側に延出し、正面から見た外観形状が略菱形、菱形、六角形、ホームベース形の多角形に連続する外周壁を有し、かつ、一つのコーナー部を頂部に有するものであり、前記外周壁の前記頂部の両側から下り傾斜する傾斜面の下端部にその傾斜面を流下する雨水を止水し、その外周壁から室外方向に誘導する水返し用突縁が設けられていることが望ましい（請求項４）。
【００１０】
前記金属製窓枠は、室内側から室外側に延出し、正面から見た外観形状が略菱形、菱形、六角形、ホームベース形の多角形に連続する外周壁と、その外周壁の屋内側端部に設けられ、建物に固着される取付壁となる外向きフランジと、前記外周壁の屋内外方向の中間部に設けられ、パネル又は障子を保持する内向きフランジと、前記内向きフランジの下部に前記外周壁との間に前記集水用空洞部を形成する屈曲壁とを一体に有するものとすることが出来る（請求項５）。
【００１１】
水切り用突起は前記屈曲壁を外周壁よりも下方に延長させて形成することが望ましい（請求項６）。
【００１２】
外周壁と外向きフランジとの接続部に、金属製窓枠の中に取付けられる樹脂枠を固定するねじをねじ込むためのねじ受け部を一体に設けることが望ましい（請求項７）。
【発明の効果】
【００１３】
請求項１の発明によれば、金属製窓枠はアルミニウム製鋳物で一体に成形されているので、複数の枠材のコーナー部品による接続部を有する従来技術と異なり、接続部がないため高い水密性能が得られる。また、構成部材数が少ないので、組立手間やコストがかからない。
【００１４】
請求項２の発明によれば、金属製窓枠の下部にパネル又は障子の室外側面を流下する雨水及び／又は前記パネル又は障子の室内側面を流下する結露水を集める集水用空洞部が形成され、その集水用空洞部の底部に下方に排水するための水抜き孔が形成されているので、パネル又は障子のシール部から雨水の浸入又は結露水の浸入があったとしても、それらの水は集水用空洞部に集まり、水抜き孔から排水されるので、室内側に漏水することが防止される。
【００１５】
請求項３の発明によれば、水抜き孔の室外側近傍に水切り用突起が設けられているので、水抜き孔から排水される水が多角形窓の下方の建物外壁を汚損することが予防される。
【００１６】
請求項４の発明によれば、金属製窓枠が、室内側から室外側に延出し、正面から見た外観形状が略菱形、菱形、六角形、ホームベース形の多角形に連続する外周壁を有し、かつ、一つのコーナー部を頂部に有するものであって、その外周壁の前記頂部の両側から下り傾斜する傾斜面の下端部にその傾斜面を流下する雨水を止水し、その外周壁から室外方向に誘導する水返し用突縁が設けられているので、頂部からその両側の傾斜面に沿って流下する雨水は、前記水返し用突縁により止水され、その外周壁から離間する方向に誘導され、排除されるため、外壁の汚れが軽減される。
【００１７】
請求項５の発明によれば、金属製窓枠を、室内側から室外側に延出し、正面から見た外観形状が略菱形、菱形、六角形、ホームベース形の多角形に連続する外周壁と、その外周壁の屋内側端部に設けられ、建物に固着される取付壁となる外向きフランジと、前記外周壁の屋内外方向の中間部に設けられ、パネル又は障子を保持する内向きフランジと、前記内向きフランジの下部に前記外周壁との間に前記集水用空洞部を形成する屈曲壁とを一体に有するものに構成したので、集水用空洞部の形成が容易にできるとともに、窓枠と建物外壁との間及び窓枠とパネルとの間に高い水密性能を確保することが容易にでき、窓枠とパネル又は障子の間から雨水が浸入することがあっても、あるいはパネル又は障子の室内面に発生した結露水が流下することがあっても、確実に排水することができる。
【００１８】
請求項６の発明によれば、水切り用突起を、屈曲壁を外周壁よりも下方に延長させて形成したので、水切り用突起の形成が容易であり、窓枠の外観も優れる。
【発明を実施するための最良の形態】
【００１９】
次に、本発明の実施の形態について図面に基づいて説明する。
図１は本発明に係る多角形窓を構成する金属製窓枠のみの正面図、図２は同じく背面図、図３は同じく正面側から見た斜視図、図４は一部透視側面図、図５は図１のＡ−Ａ断面図、図６は図１のＢ−Ｂ断面図、図７は図１のＣ−Ｃ断面図、図８は図１のＤ−Ｄ断面図、図９は図２の下部の拡大図である、図１０は図１の金属製窓枠にパネル及び樹脂枠を接続し、建物に取り付けた状態の図１のＥ−Ｅ線に沿った断面図、図１１は同じく図１のＥ−Ｆ線に沿った断面図、図１２は本発明を適用することが可能な窓の形態の一例を示す説明図である。
【００２０】
本発明に係る多角形窓は、金属製窓枠１とその中に固定されるパネル又はその中に開閉自在に取り付けられる障子（図示省略）とから構成されるが、その最大の特徴は、金属製窓枠１がアルミニウム製鋳物で一体に成形されていることである。一体物であるので、複数の部材を接続してなる従来と異なり、部品数が最小限になり、その場合の多角形窓の形態は任意である。しかし、アルミニウム製鋳物で作られるので、本発明による多角形窓は小型の窓に適用するのに好適である。このような小型の窓の形態は、図１２（ａ）〜（ｅ）に例示するように、正方形を４５度傾けた略菱形、菱形、六角形、倒立ホームベース形、ホームベース形など、装飾性を備えた多角形とすることが出来る。そして、後述されるように、格段に高い水密性能を備えた多角形窓とする場合は、図１２（ａ）〜（ｃ）に示されるように、一つのコーナー部を頂部に有し、その頂部から両側に下り傾斜する辺を有し、底部にも他のコーナー部を有する形態の窓である。
【００２１】
以下には、金属製窓枠１が図１２の正方形を４５度傾けた略菱形（ａ）の形態に成形された場合の実施例について詳細に説明する。
図１ないし図３に示すように、金属製窓枠（以下、単に窓枠という。）１は、窓開口面に対して室外方向（図１の紙面に対して鉛直上方向）に延び、正方形に連続する外周壁１１を有し、その外周壁の内側に開口Ｏが形成されている。
【００２２】
窓枠１の外周壁１１の室内側端部付近における外周面（開口Ｏと反対側の面）には、垂直面に沿って外側に延出し、矩形に連続する外向きフランジ１２が設けられている。この外向きフランジ１２は、後述されるように、これを建物駆体の屋外側面に当接して固定するための取付壁となるものであり、その外向きフランジ１２には、これに木ねじを貫通して建物駆体にねじ込むための孔１２１が一例として外向きフランジの各コーナー部に形成してある。この孔１２１は、矩形に連続する外向きフランジの各辺の長手方向に適当な間隔を持って形成してもよい。
【００２３】
また、窓枠１の外周壁１１の室内外方向中間位置における内周面（開口Ｏ側の面）には、垂直面に沿って内側に延出し、矩形に連続する内向きフランジ１３が設けられている。この内向きフランジ１３は、後述されるように、その室内側面にパネルを固定し、又は障子を開閉自在に保持するものである。
【００２４】
また、窓枠１の外周壁１１と外向きフランジ１２の接続部の室内側部分には厚肉に形成され、外周壁１１の各辺に沿って矩形に連続するねじ受け部１４が設けられている。そのねじ受け部１４には、窓枠１の背面側からねじをねじ込むための孔１４１がねじ受け部の各辺の長さ方向に適当な間隔を持って形成されている。
【００２５】
窓枠１は、図３に示すように、一つのコーナー部が頂きに存在するように、正方形を４５度傾けた姿勢で建物の窓開口に取り付けられるが、外周壁１１の内、その頂部１１ｔから左右両側に下り傾斜する上側傾斜部分１１ＵＳの下端部にその上面を流下する雨水をその外周壁１１から室外方向に誘導する水返し用突縁１５が設けられている。その水返し用突縁１５の室外側端部及び前記上側傾斜部分１１ＵＳを構成する外周壁の前記水返し用突縁１５に連なる部分は、ほぼＶ字状に連続した状態で外周壁１１の室外側端部よりも若干室外側に突出１５ｐされている。これにより、外周壁１１の頂部１１ｔの両側の上側傾斜部分１１ＵＳ及びその上側傾斜部分の室内側に存在する外向きフランジ１２の部分に降り付けて流下する雨水は、水返し用突縁１５に止水され、その室外側突出部分１５ｐから室外方向に誘導され、排出されるようになっている。外周壁１１のうち、少なくとも、頂部１１ｔから両側に傾斜する部分が室外方向に向かって内側に傾くように薄肉に形成してある。これにより、上側傾斜部分１１ＵＳに沿って流下する雨水は水返し用突縁１５の室外側突出部分方向に流れ、かつ、その水返し用突縁１５から室外方向に誘導排水される効果が得られるようになっている。
【００２６】
内向きフランジ１３は、外周壁１１の頂部１１ｔの直下方において底部１１ｂ及びその付近に接続されておらずに、その底部１１ｂ及びその付近との間に三角形の孔１３ｈが形成されている。そして、外周壁１１の底部１１ｂの室外側端部から上側に立ち上がり、さらに内向きフランジ１３の底辺まで連続する屈曲壁１６が設けられて、その屈曲壁１６と外周壁１１の底部１１ｂとの間に孔１３ｈに連通する集水用空洞部１７が形成されている。また、外周壁の底部１１ｂは、図７及び図９に示すように、ねじ受け部１４から室内方向に若干延長され、その延長端から立ち上がる止水壁１８が設けられている。この止水壁１８は、後述されるように、パネル固定枠の下端部を固定する機能をも有する。止水壁１８の背面形状は、図示の例では、内観装飾をパネル固定枠に合わせるために４５度傾けたＬ字形に形成されているが、逆三角形に形成しても良い。
【００２７】
外周壁１１の底部１１ｂの室外側端部の屈曲壁１６と接続する部分は厚肉に形成され、その厚肉部分に集水用空洞部１７を下方に連通させる水抜き孔１９が設けてある。さらに、屈曲壁１６は水抜き孔１９よりも室外側において下方に延長されて、水切り用突起１１０を構成している。
【００２８】
屈曲壁１６の上面は、外周壁１１の下側傾斜部分１１ＬＳの上面の下端部と連続している。従って、その下側傾斜部分１１ＬＳの上面を流下する雨水は屈曲壁１６の上面に集合する。その集合した雨水をできるだけ拡散させずに水抜き孔１９から排出される水と一緒に流下させるため、屈曲壁１６の両端部に下側傾斜部分１１ＬＳの上面を流下する雨水を水抜き孔１９よりも下方に誘導する突起１１０が設けられている。
【００２９】
続いて、図１０及び図１１を参照しながら、上記窓枠１を建物駆体Ｈに取り付ける方法及びその窓枠１にパネル２を固定して完成される多角形窓の他の構成要素について説明する。窓枠１には、これを建物躯体Ｈの開口部に取り付ける前又は後に、複層ガラスその他のパネル２が次のようにして取り付けられる。すなわち、内向きフランジ１３の室内側面に矩形に連続するスぺーサ３が接着その他の方法で固定され、そのスペーサの室内側面にパネル２が嵌合され、そのはパネルの外周面と窓枠１の外周壁１１の内周面との間に安定材４が介在され、安定材４の室内側にパネル固定枠５が配設され、そのパネル固定枠は窓枠１のねじ受け部１４の背面にねじ６により固定される。
【００３０】
パネル固定枠５は、窓の断熱性能と装飾性を高めるため合成樹脂の形材で作られている。また、パネル固定枠５は、室内側部分に二つの中空部５１，５２を有するとともに、室外側に窓枠１の中心側に開口するあり溝５３を有し、中空部５２の外周面から外周方向に延びる固定縁５４を有している。そして、パネル固定枠５は、あり溝５３及び中空部５２の外周面を窓枠の外周壁１１の内周面に当接し、固定縁５４からねじ６を窓枠１のねじ受け部１４に設けてある孔１４１にねじ込むことにより、窓枠１に固定される。
【００３１】
各辺のパネル固定枠５のあり溝５３には、押縁７が周知の構造及び方法により嵌着される。すなわち、押縁７は、所要の強度を備えるための中空部７１と、その中空部から一方側に延出する一対の係止縁７２とを有し、その一対の係止縁７２をパネル固定枠５のあり溝５３に押し込み、その係止縁の弾性復元により抜脱不能に固定される。そして、窓枠１の内向きフランジ１３とパネル２の間及びそのパネル２と押縁７の間に、それぞれシール材８を充填することにより、窓枠１の中にパネル２が固定されている。
【００３２】
パネル固定枠５のうち、窓枠１の外周壁１１の下側傾斜部分１１ｂに対応するパネル固定枠５の室内側の中空部５１は、窓枠の止水壁１８に対応する部分が切除され、その切除された部分に止水壁１８が嵌合されている。
【００３３】
また、図１１に示すように、室内側のシール材８の底部、安定材４の窓枠底部１１ｂの上面に当接する部分及びスペーサ材３の窓枠底部１１ｂの上面に当接する部分には、パネル２の室内面に生じて流下する結露水を窓枠１の集水用空洞部１７に排出するための孔（図示省略）が設けられている。
【００３４】
上記窓枠１は、これにパネル２を取り付ける前、又はパネル２を取り付けた後に、外向きフランジ１２を建物躯体Ｈの屋外面に当接し、その外向きフランジに設けてある孔１２１から木ねじ９を貫通し、その建物躯体Ｈにねじ込んで固定される。
【００３５】
上記のようにして一つのコーナー部が頂きに存在し、他のコーナー部が底部に存在する形態で建物躯体に取付られた多角形窓に雨が降り付けた場合、建物外壁から窓枠１の外周壁１１の上側傾斜部分１１ＵＳに流下する雨水、又はその上側傾斜部分に降り付ける雨水は、その上面をその下端部まで流下し、水返し用突縁１５により止水され、かつ屋外方向に誘導されて、その室外側突出部分１５ｐから排出される。また、パネル２の室外面から外周壁１１の下側傾斜部分１１ＬＳの上面に流下する雨水、又はその下側傾斜部分１１ＬＳの上面に降った雨水は、底部の屈曲壁１６の上面に集合し、その屈曲壁の屋外側端面を流下し、水切り用突起１１０の下端部から排水される。さらに、パネル２の室内面を流下する又は滴下する結露水は、室内側のシール材８、安定材４及びスペーサ材３の底部に設けられた連通孔から窓枠１の底部の集水用空洞部１７に集水し、水抜き孔１９から屋外に排水される。水切り用突起１１０が設けてある場合は、水抜き孔１９から排出される雨水が外周壁１１の底面に沿って外向きフランジ１２方向に流れることなく下方に排水される。従って、この実施例の多角形窓は非常に高い水密性能を有するとともに、建物外壁の汚損が防止される。
【００３６】
万一、パネル２の室外面を流れる雨水が内向きフランジ１３とパネル２との間から浸入することがあっても、その雨水は集水用空洞部１７に集合するので、結局、水抜き孔１９から排水される。
【００３７】
上記実施例は、窓枠１の中にパネル２を樹脂製のパネル固定枠５により固定した多角形の嵌め殺し窓に適用した例であるが、本発明は、窓枠１の中に障子を開閉自在に保持する開閉窓あるいは周囲側に嵌め殺しのパネルを、中央側に障子を開閉自在に有する窓などにも適用することができる。小型の窓に適用するのに好適であるが、通常の大きさの窓にも適用可能である。
【図面の簡単な説明】
【００３８】
【図１】本発明に係る多角形窓を構成する金属製窓枠のみの正面図。
【図２】同じく背面図。
【図３】同じく正面側から見た斜視図。
【図４】同じく一部透視側面図。
【図５】図１のＡ−Ａ断面図。
【図６】図１のＢ−Ｂ断面図。
【図７】図１のＣ−Ｃ断面図。
【図８】図１のＤ−Ｄ断面図。
【図９】図２の部分拡大図。
【図１０】図１の金属製窓枠にパネル及び樹脂枠を接続し、建物に取り付けた状態の図１のＥ−Ｅ線に沿った断面図。
【図１１】同じく図１のＥ−Ｆ線に沿った断面図。
【図１２】本発明を適用することが可能な窓の形態の一例を示す説明図。
【符号の説明】
【００３９】
１        窓枠（金属製窓枠）
１１      外周壁
１２    外向きフランジ
１３    内向きフランジ
１４    ねじ受け部
１５    水返し用突縁
１６    屈曲壁
１７    集水用空洞部
１９    水抜き孔
１１０  水取り用突起
２      パネル
３      スペーサ材
４      安定材
５      パネル固定枠
５１．５２  中空部
５３    あり溝
６      ねじ
７      押縁
【図１】
2007291661.tif 000003
【図２】
2007291661.tif 000004
【図３】
2007291661.tif 000005
【図４】
2007291661.tif 000006
【図５】
2007291661.tif 000007
【図６】
2007291661.tif 000008
【図７】
2007291661.tif 000009
【図８】
2007291661.tif 000010
【図９】
2007291661.tif 000011
【図１０】
2007291661.tif 000012
【図１１】
2007291661.tif 000013
【図１２】
2007291661.tif 000014